(57)【要約】細やかなサービスを提供することが可能な制御装置を提供するために、制御装置３０は、複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部３３と、対応情報に基づいて、物理ネットワークで接続された複数の通信装置のそれぞれに、識別子と、当該識別子にて識別される仮想ネットワークを使用するポリシーとを割り当てる制御部３４とを有する。
2016017182.tif 000002
【特許請求の範囲】
【請求項１】
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部と、
前記対応情報に基づいて、物理ネットワークで接続された複数の通信装置のそれぞれに、前記識別子と、当該識別子にて識別される仮想ネットワークを使用するポリシーとを割り当てる制御部と、
を備える制御装置。
【請求項２】
前記仮想ネットワークそれぞれの状況を検知する検知部、をさらに備え、
前記制御部は、前記検知部が検知した状況に基づいて、前記仮想ネットワークそれぞれのルート制御を行う、請求項１に記載の制御装置。
【請求項３】
前記対応情報は、前記データの属性値として、当該データの宛先、送信元、および優先度の少なくとも１つを示す情報を含む、請求項１または２に記載の制御装置。
【請求項４】
前記対応情報は、複数種類あり、
前記制御部は、前記複数種類の対応情報のうち、各通信装置に対して予め定められたルールを満たす対応情報に基づいて、前記識別子と前記ポリシーとを割り当てる、請求項１ないし３のいずれか１項に記載の制御装置。
【請求項５】
前記複数の通信装置は、基地局の機能を協働して仮想的に実現する複数のサーバ装置を含む、請求項１ないし４のいずれか１項に記載の制御装置。
【請求項６】
前記複数の通信装置は、アンテナ装置を含む、請求項５に記載の制御装置。
【請求項７】
前記複数の通信装置は、前記物理ネットワークと他の物理ネットワークとの間を中継する中継装置を含む、請求項１ないし６のいずれか１項に記載の制御装置。
【請求項８】
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部から前記対応情報を読み出し、
前記記憶部から読み出した対応情報に基づいて、物理ネットワークで接続された複数の通信装置のそれぞれに、前記識別子と、当該識別子にて識別される仮想ネットワークを使用するポリシーとを割り当てる、制御方法。
【発明の詳細な説明】
【技術分野】
【０００１】
本開示は、仮想ネットワークを制御する制御装置および制御方法に関する。
【背景技術】
【０００２】
通信の分野では、ＶＬＡＮ（Ｖｉｒｔｕａｌ  Ｌｏｃａｌ  Ａｒｅａ  Ｎｅｔｗｏｒｋ）と呼ばれる仮想ネットワークを構成する技術が普及している。ＶＬＡＮを用いることで、物理ネットワークを分割して、Ｌ２（Ｌａｙｅｒ２）レベルで、複数の仮想ネットワークを構成することができる。例えば、特許文献１には、企業の各拠点間をＶＬＡＮで接続する技術が開示されている。【０００３】
また、移動体通信の分野では、新たな技術やサービスの開発が進んでいる。例えば近年、ＭＶＮＯ（Ｍｏｂｉｌｅ  Ｖｉｒｔｕａｌ  Ｎｅｔｗｏｒｋ  Ｏｐｅｒａｔｏｒ）と呼ばれる移動体通信事業者が登場している。ＭＶＮＯは、他社の保有する移動体通信網を借りてサービスを提供する事業者である。移動体通信網を保有する事業者が、他の事業者に通信網を貸し出している場合、この通信網では、ユーザが使用している事業者に応じた様々な種類のデータが送受信されるようになる。【０００４】
また、基地局装置の仮想化も提案されている。基地局の仮想化では、複数のサーバ装置が協働することによって、基地局装置の機能を仮想的に実現している。このような技術では、１台の装置で基地局装置の機能を実現していた場合には、基地局装置内部でのみ伝送されていたデータが通信網上で伝送されることになる。このようなデータには、基地局装置内部で使用される優先度が付与されているため、通信網上に、優先度に応じた様々な種類のデータが伝送されるようになる。
【先行技術文献】
【特許文献】
【０００５】
【特許文献１】特開２０１４−０１４０５１号公報
【発明の概要】
【発明が解決しようとする課題】
【０００６】
ＭＶＮＯや基地局の仮想化に、特許文献１に記載のＶＬＡＮを適用することで、ＭＶＮＯにおける各事業者のデータや、本来は基地局装置内部で伝送されていた複数の種類のデータをＬ２レベルで区別することができるようになる。しかしながら、ＶＬＡＮ技術では、伝送されるデータをＬ３（Ｌａｙｅｒ３）レベルでは区別することができない。このため、ＭＶＮＯにＶＬＡＮを適用する場合、通信装置は、どの通信事業者のユーザのデータに対しても同じ処理を行うしかなく、細やかなサービスを提供することができない。また、基地局の仮想化にＶＬＡＮを適用する場合、通信装置は、優先度が異なる複数のデータに対しても同じ処理を行うしかなく、細やかなサービスを提供することができない。【０００７】
例示的な実施形態の目的は、細やかなサービスを提供することが可能な制御装置および制御方法を提供することである。
【課題を解決するための手段】
【０００８】
例示的な実施形態による制御装置は、
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部と、
前記対応情報に基づいて、物理ネットワークで接続された複数の通信装置のそれぞれに、前記識別子と、当該識別子にて識別される仮想ネットワークを使用するポリシーとを割り当てる制御部と、を有する。【０００９】
また、例示的な実施形態による制御方法は、
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部から前記対応情報を読み出し、
前記記憶部から読み出した対応情報に基づいて、物理ネットワークで接続された複数の通信装置のそれぞれに、前記識別子と、当該識別子にて識別される仮想ネットワークを使用するポリシーとを割り当てる。
【発明の効果】
【００１０】
例示的な実施形態によれば、細やかなサービスを提供することが可能である。
【図面の簡単な説明】
【００１１】
【図１】第１の例示的な実施形態にかかる移動体通信システム１の構成図である。
【図２】制御装置３０の構成を示すブロック図である。
【図３】第１の対応情報の一例を示す図である。
【図４】第２の例示的な実施形態にかかる移動体通信システム２の構成図である。
【図５】第２の対応情報の一例を示す図である。
【図６】第３の例示的な実施形態にかかる移動体通信システム３の構成図である。
【図７】第３の対応情報の一例を示す図である。
【図８】第４の対応情報の一例を示す図である。
【図９】第５の対応情報の一例を示す図である。
【発明を実施するための形態】
【００１２】
以下、例示的な実施形態について添付の図面を参照して説明する。なお、本明細書および図面において、同一の機能を有する構成要素については同じ符号を付することにより重複説明を省略する場合がある。
（第１の実施形態）
図１は、第１の例示的な実施形態にかかる移動体通信システム１の構成図である。移動体通信システム１は、複数の基地局装置１０−１〜１０−ｎと、Ｌ３（Ｌａｙｅｒ３）スイッチ２０−１および２０−２と、制御装置３０とを有する。
【００１３】
基地局装置１０−１〜１０−ｎは、携帯電話などの移動局と通信する通信装置である。
基地局装置１０−１〜１０−ｎのそれぞれは、移動局と通信するアンテナ部と、バックホール回線と接続する通信インタフェースとを有する。また、基地局装置１０−１〜１０−ｎ基地局装置１０−１〜１０−ｎのそれぞれは、物理ネットワークであるバックホール回線を介してＬ３スイッチ２０−１および２０−２と接続される。なお、基地局装置１０−１〜１０−ｎを特に区別する必要がない場合には、単に、基地局装置１０と称する。
【００１４】
Ｌ３スイッチ２０−１および２０−２は、バックホール回線とＥＰＣ（Ｅｖｏｌｖｅｄ  Ｐａｃｋｅｔ  Ｃｏｒｅ）ネットワークＡ〜Ｃとの間で通信を中継する通信装置である。ＥＰＣネットワークＡ〜Ｃのそれぞれは、オペレータが提供するコア回線である。
なお、Ｌ３スイッチ２０−１および２０−２を特に区別する必要がない場合には、単に、Ｌ３スイッチ２０と称する。
【００１５】
制御装置３０は、ＶｘＬＡＮ（Ｖｉｒｔｕａｌ  ｅＸｔｅｎｓｉｂｌｅ  Ｌｏｃａｌ  Ａｒｅａ  Ｎｅｔｗｏｒｋ）の機能を用いて、仮想ネットワークを識別する識別子であるＶＮＩ（ＶｘＬＡＮ  Ｎｅｔｗｏｒｋ  Ｉｄｅｎｔｉｆｉｅｒ）と、ＶＮＩにて識別される仮想ネットワークを使用するポリシーとを、バックホール回線に接続された通信装置である基地局装置１０−１〜１０−ｎとＬ３スイッチ２０−１および２０−２とに割り当てる。制御装置３０は、ＶＮＩとポリシーとを各通信装置に割り当てることで、バックホール回線上で複数の仮想ネットワークを構築する。
【００１６】
図２は、制御装置３０の詳細な構成を示すブロック図である。
【００１７】
制御装置３０は、通信部３１と、検知部３２と、記憶部３３と、制御部３４とを有する。
【００１８】
通信部３１は、バックホール回線を介して、基地局装置１０−１〜１０−ｎと、Ｌ３スイッチ２０−１および２０−２とのそれぞれと接続する。
【００１９】
検知部３２は、通信部３１を介して、バックホール回線の通信状況を検知する。
【００２０】
記憶部３３は、複数の仮想ネットワークのそれぞれを識別する識別子であるＶＮＩと、当該ＶＮＩで識別される仮想ネットワークで伝送されるデータの属性値とが対応付けられている。
【００２１】
図３は、制御装置３０が用いる対応情報の一例を示す図である。
【００２２】
図３が示す第１の対応情報は、ＶＮＩ値と、データの属性値を示す情報として、データの送信元および宛先を示す情報とが対応づけられている。データの送信元および宛先を示す情報は、基地局を識別するｅＮＢ(evolved Node B)−ＩＤ(Identifier)と、ＥＰＣを識別するＥＰＣ―ＩＤとを含む。
【００２３】
制御部３４は、記憶部３３に第１の対応情報を記憶させ、記憶部３３から第１の対応情報を読み出す。この第１の対応情報に基づき、制御部３４は、基地局装置１０−１〜１０−ｎと、Ｌ３スイッチ２０−１および２０−２などの、物理ネットワークで接続された複数の通信装置のそれぞれに、ＶＮＩおよびＶＮＩを使用するポリシーを割り当てる。これにより、基地局装置１０−１〜１０−ｎと、Ｌ３スイッチ２０−１および２０−２との間に、データの属性値毎に複数の仮想ネットワークが構築される。このため、各通信装置は、データの属性値毎に当該データを区別することができるようになる。各通信装置は、データの属性値毎にデータを区別することができる場合、データの属性値毎に、各データに異なる処理を行うことが可能になり、その結果、細やかなサービスを提供することができる。
【００２４】
第１の対応情報に基づいてＶＮＩおよびポリシーを割り当てた場合、ＥＰＣネットワーク毎に異なる仮想ネットワークが構成されることになる。ＥＰＣネットワークはオペレータ毎に異なるため、データは、オペレータ毎に異なる仮想ネットワークで伝送されることになる。したがって、基地局装置１０−１〜１０−ｎは、移動体通信システム１に複数のオペレータが存在する場合であっても、中継するデータがどのオペレータのユーザにより送受信されるものであるかを区別することができるようになる。
【００２５】
より具体的には、ｅＮＢ＃２で識別される基地局装置１０−２に割り当てられるポリシーは、以下のａ）およびｂ）のポリシーを含む。
ａ）宛先アドレスが、ＥＰＣ＃Ｃで識別されるネットワークである場合、ＶＮＩ値が２で識別される仮想ネットワークを使用する。
ｂ）宛先アドレスが、ＥＰＣ＃Ａで識別されるネットワークである場合、ＶＮＩ値が１００で識別される仮想ネットワークを使用する。
【００２６】
また、Ｌ３スイッチ２０−１および２０−２には、図３に示される第１の対応情報全てが、ポリシーとして割り当てられる。これにより、Ｌ３スイッチ２０−１および２０−２は、受信したデータのＶＮＩ値を参照することで、当該データの送信元および宛先を区別することが可能になる。
【００２７】
また、制御部３４は、検知部３２が検知した通信状況に基づいて、仮想ネットワークのルート制御を行う。具体的には、制御部３４は、通信状況に基づいて、各仮想ネットワークの優先度を変更する。また、制御部３４は、通信状況に基づいて、ＶＮＩを割り当て直し、ネットワーク構成を変更する。これにより、各仮想ネットワークに割り当てられるリソースが変更される。
【００２８】
以上説明したように、第１の例示的な実施形態によれば、制御装置３０は、記憶部３３と制御部３４とを有する。記憶部３３は、複数の仮想ネットワークのそれぞれをネットワーク層レベルで識別する複数の識別子であるＶＮＩのそれぞれに、当該ＶＮＩにて識別される仮想ネットワークで伝送されるデータの属性値である宛先ネットワークを識別するＥＰＣ−ＩＤが対応付けられた対応情報を記憶する。制御部３４は、対応情報に基づいて、物理ネットワークであるバックホール回線で接続された複数の通信装置のそれぞれに、ＶＮＩと、当該ＶＮＩにて識別される仮想ネットワークを使用するポリシーとを割り当てる。これらの構成により、通信装置間では、データの属性値毎に異なる仮想ネットワークが構築される。このため、各通信装置が、データの属性値毎に、当該データを区別することができる。ＥＰＣ−ＩＤは、通信事業者毎に異なるため、各通信装置は、処理しているデータがどの通信事業者のユーザのものであるかを区別することが可能になり、その結果、細やかなサービスを提供することが可能になる。
【００２９】
また、上記実施形態によれば、制御装置３０は、各仮想ネットワークの状況を検知する検知部３２をさらに備える。そして制御部３４は、検知部３２が検知した状況に基づいて、各仮想ネットワークのルート制御を行う。この構成により、データの属性値毎に、ルート制御が行われる。このため、各通信装置は、データの属性値毎に、より細かい単位で、ルート制御を行うことができる。その結果、より細やかなサービスを提供することが可能になる。
【００３０】
また、上記実施形態によれば、対応情報は、データの属性値として、データの宛先および送信元の少なくともいずれかを示す情報を含む。この構成により、通信装置間では、データの宛先および送信元の少なくともいずれか毎に仮想ネットワークが構築される。このため、各通信装置は、データの宛先または送信元毎に、当該データを区別することができる。したがって、より確実に、細やかなサービスを提供することが可能になる。
（第２の実施形態）
図４は、第２の例示的な実施形態にかかる移動体通信システム２の構成図である。
【００３１】
移動体通信システム２は、基地局装置１０と、Ｌ３スイッチ２０と、制御装置３０とを有する。第２の例示的な実施形態は、制御装置３０が用いる対応情報が第１の実施形態と異なる。移動体通信システム２は、図１に示した移動体通信システム１と同様に、複数の基地局装置および複数のＬ３スイッチを有してもよい。図４では、簡単のため、基地局装置１０とＬ３スイッチ２０とをそれぞれ１つずつ示す。
【００３２】
図５は、本実施形態において、制御装置３０が用いる対応情報の一例を示す図である。
【００３３】
図５が示す第２の対応情報は、ＶＮＩ値と、データの属性値とが対応付けられている。
具体的には、第２の対応情報は、データの属性値として、ｅＮＢ−ＩＤと、データのサービス種別を示す情報とを含む。サービス種別を示す情報は、例えば、データの優先度を示す情報である。データの優先度を示す情報は、ＤＳＣＰ（Ｄｉｆｆｅｒｅｎｔｉａｔｅｄ  Ｓｅｒｖｉｃｅｓ  Ｃｏｄｅ  Ｐｏｉｎｔ）値、およびＱＣＩ（ＱｏＳ  Ｃｌａｓｓ  Ｉｄｅｎｔｉｆｉｅｒ）である。ＤＳＣＰ値は、ＩＰ（Ｉｎｔｅｒｎｅｔ  Ｐｒｏｔｏｃｏｌ）ヘッダに割り当てられる、優先度を示す情報である。またＱＣＩは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で規定される、ベアラ毎の優先度を示す情報である。ここでは、優先度を示す２種類の情報を用いたが、１種類のみが用いられてもよい。
【００３４】
制御部３４は、第２の対応情報に基づいて、基地局装置１０およびＬ３スイッチ２０にＶＮＩおよび当該ＶＮＩを使用するポリシーを割り当てる。これにより、移動体通信システム２で送受信されるデータのサービス種別ごとに異なる、複数の仮想ネットワークが構成されることになる。また、図４では省略したが、移動体通信システム２が複数の基地局装置１０を含む場合、制御部３４は、データが送受信される基地局装置１０毎に、ＶＮＩを割り当てるため、基地局装置１０毎に仮想ネットワークが構成されることになる。
【００３５】
より具体的には、ＥＮＢ−ＩＤがｅＮＢ＃１で識別される基地局装置に割り当てられるポリシーは、以下の１）〜３）のポリシーを含む。図５では省略されているが、この基地局装置には、ｅＮＢ＃１と対応付けて記憶されているＶＮＩ値および属性値の対応関係をポリシーとして割り当てる
１）ＤＳＣＰ値がＢｅｓｔ  Ｅｆｆｏｒｔであり、ＱＣＩがＱＣＩ＃９である場合、ＶＮＩ値が１で識別される仮想ネットワークを使用する。
２）ＤＳＣＰ値がＡＦ（Assured Forwarding）＃２であり、ＱＣＩがＱＣＩ＃３である場合、ＶＮＩ値が２で識別される仮想ネットワークを使用する。
３）ＤＳＣＰ値がＥＦ（Expedited Forwarding）であり、ＱＣＩがＱＣＩ＃１である場合、ＶＮＩ値が１００で識別される仮想ネットワークを使用する。
【００３６】
また、本実施形態においても、制御部３４は、検知部３２が検知した通信状況に基づいて、ルート制御を行うことができる。このとき制御部３４は、第２の対応情報に含まれる、データの優先度を示す情報に基づいて、ルート制御を行うこともできる。
【００３７】
以上説明したように、第２の例示的な実施形態によれば、第１の実施形態と同様に、各通信装置は、データの属性値毎に、異なる仮想ネットワークを用いてデータを伝送することが可能になり、その結果、細やかなサービスを提供することが可能になる。
【００３８】
また、本実施形態によれば、対応情報は、データの属性値として、データの優先度を示す情報を含む。この構成により、通信装置間では、データの優先度毎に仮想ネットワークが構築される。このため、各通信装置は、データの優先度毎に、当該データを区別することができるようになり、その結果、より細やかなサービスを提供することが可能になる。
（第３の実施形態）
図６は、第３の例示的な実施形態にかかる移動体通信システム３の構成図である。
【００３９】
移動体通信システム３は、アンテナ部１１と、仮想基地局機能部１２と、Ｌ３スイッチ２０−１および２０−２とを有する。
【００４０】
アンテナ部１１は、複数のアンテナ装置１１−１〜１１−ｎを含む。
【００４１】
仮想基地局機能部１２は、基地局装置の複数の機能を協働して仮想的に実現する複数のサーバ装置によって実現される。基地局装置の機能は、例えば、ＭＡＣ（Ｍｅｄｉｕｍ  Ａｃｃｅｓｓ  Ｃｏｎｔｒｏｌ）レイヤ機能、ＲＬＣ（Ｒａｄｉｏ  Ｌｉｎｋ  Ｃｏｎｔｒｏｌ）レイヤ機能、およびＰＤＣＰ（Ｐａｃｋｅｔ  Ｄａｔａ  Ｃｏｎｖｅｒｇｅｎｃｅ  Ｐｒｏｔｏｃｏｌ）レイヤ機能を含む。また、基地局装置の機能は、ＲＲＣ（Ｒａｄｉｏ  Ｒｅｓｏｕｒｃｅ  Ｃｏｎｔｒｏｌ）レイヤ機能、Ｓ１／Ｘ２−ＡＰ（Ａｐｐｌｉｃａｔｉｏｎ  Ｐｒｏｔｏｃｏｌ）レイヤ機能、およびＩＰ（Ｉｎｔｅｒｎｅｔ  Ｐｒｏｔｏｃｏｌ）レイヤ機能を含む。また、基地局装置の機能は、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能、およびＧＴＰ−ｕ（ＧＰＲＳ  Ｔｕｎｎｅｌｉｎｇ  Ｐｒｏｔｏｃｏｌ  ｆｏｒ  Ｕｓｅｒ  ｐｌａｎｅ）レイヤ機能を含む。
【００４２】
図７〜図９は、本実施形態において、制御装置３０が用いる対応情報の一例を示す図である。図７が示す第３の対応情報は、ＶＮＩ値と、データの属性値としてデータが送受信されるアンテナ装置を識別するＲＦ（Ｒａｄｉｏ  ｆｒｅｑｕｅｎｃｙ）−ＩＤとが対応付けられている。
【００４３】
制御部３４は、第３の対応情報を用いて、アンテナ部１１および仮想基地局機能部１２のそれぞれにＶＮＩと、ＶＮＩを使用するポリシーとを割り当てる。
【００４４】
具体的には、制御部３４は、アンテナ部１１の各アンテナ装置１１−１〜ｎに対しては、各アンテナ装置１１−１〜ｎを識別するＲＦ−ＩＤと対応付けられたＶＮＩを割り当てる。そして制御部３４は、各アンテナ装置１１−１〜ｎに対して、当該アンテナ装置１１−１〜ｎから送信するデータについては、割り当てられたＶＮＩを使用するというポリシーを割り当てる。
【００４５】
また制御部３４は、仮想基地局機能部１２を実現する複数のサーバ装置のうち、アンテナ部１１からのデータを受け付ける機能を実現するサーバ装置に対しては、第３の対応情報に含まれる全てのＶＮＩを割り当てる。そして制御部３４は、サーバ装置に対して、各ＶＮＩと対応付けられたＲＦ−ＩＤの情報をポリシーとして割り当てる。これにより、アンテナ装置１１−１〜１１−ｎのそれぞれと、仮想基地局機能部１２との間に仮想ネットワークが構築されることになる。そして、仮想基地局機能部１２は、受信したデータが、アンテナ装置１１−１〜１１−ｎのうちどのアンテナ装置と送受信するデータであるかを区別することができるようになる。
【００４６】
図８が示す第４の対応情報は、ＶＮＩ値と、データの属性値として、データのサービス種別を示す情報とが対応付けられている。サービス種別を示す情報は、データの優先度を示し、具体的には、ＤＳＣＰ値である。
【００４７】
制御部３４は、第４の対応情報を用いて、仮想基地局機能部１２を実現する複数のサーバ装置のそれぞれに対して、ＶＮＩおよびＶＮＩを使用するポリシーを割り当てる。具体的には、制御部３４は、各サーバ装置に対して、第４の対応情報に含まれる全てのＶＮＩを割り当て、ＶＮＩを使用するポリシーとしてこれらのＶＮＩに対応付けられたＤＳＣＰ値を割り当てる。これにより、複数の仮想基地局機能部１２間では、データのサービス種別ごとに、仮想ネットワークが構築されることになる。したがって、仮想基地局機能部１２は、データのサービス種別を区別することができる。
【００４８】
図９が示す第５の対応情報は、ＶＮＩ値と、データの属性値として、データのサービス種別を示す情報とが対応付けられている。データのサービス種別を示す情報は、データの優先度を示す。具体的には、データの優先度を示す情報は、ＤＳＣＰ値およびＱＣＩである。
【００４９】
制御部３４は、第５の対応情報を用いて、仮想基地局機能部１２と、Ｌ３スイッチ２０−１および２０−２とにＶＮＩとＶＮＩを使用するポリシーを割り当てる。これにより、仮想基地局機能部１２とＬ３スイッチ２０−１および２０−２のそれぞれとの間には、データのサービス種別毎に仮想ネットワークが構築されることになる。したがって、仮想基地局機能部１２とＬ３スイッチ２０−１および２０−２とは、それぞれのデータのサービス種別を区別することができるようになる。
【００５０】
なお、制御部３４は、ＶＮＩを割り当てるために用いる対応情報を、各通信装置に対して予め定められたルールに基づいて決定している。例えば、アンテナ部１１に対しては、第３の対応情報を用いるというルールが予め定められている。また、仮想基地局機能部１２を実現するサーバ装置に対しては、アンテナ部１１との通信には第３の対応情報を用い、他のサーバ装置との通信には第４の対応情報を用い、Ｌ３スイッチ２０−１および２との通信には第５の対応情報を用いるというルールが定められている。また、Ｌ３スイッチ２０−１および２に対しては、第５の対応情報を用いるというルールが定められている。
【００５１】
以上説明したように、第３の例示的な実施形態でも、第１の実施形態および第２の実施形態と同様に、各通信装置は、データの属性値毎に、異なる仮想ネットワークが構築されるため、細やかなサービスを提供することが可能になる。また、各通信装置は、通信装置が構成する通信システムの通信状況を最適化することが可能になる。
【００５２】
また、上記実施形態では、複数の通信装置は、基地局の機能を協働して仮想的に実現する複数のサーバ装置を含む。この構成により、制御部３４は、複数のサーバ装置のそれぞれに対して、識別子を割り当てるため、基地局の機能を実現する複数のサーバ装置間に、データの属性値毎に、複数の仮想ネットワークが構築される。このため、各サーバ装置は、データの属性値毎にデータを区別することが可能になり、その結果、より細やかなサービスを提供することが可能になる。
【００５３】
また、上記実施形態では、複数の通信装置は、アンテナ装置１１−１〜ｎをさらに含む。この構成により、制御部３４は、アンテナ装置１１−１〜ｎとサーバ装置とのそれぞれに対して識別子を割り当てることになり、アンテナ装置１１−１〜ｎとサーバ装置との間に、データの属性値毎に、複数の仮想ネットワークが構築される。したがって、各アンテナ装置１１−１〜ｎとサーバ装置のそれぞれは、データの属性値毎に、当該データを区別することが可能になり、その結果、より細やかなサービスを提供することが可能になる。
【００５４】
また、上記実施形態では、複数の通信装置は、物理ネットワークと他の物理ネットワークとの間を中継する中継装置であるＬ３スイッチ２０−１および２を含む。この構成により、Ｌ３スイッチ２０−１および２と他の通信装置との間に、データの属性値毎に、複数の仮想ネットワークが構築される。したがって、Ｌ３スイッチ２０−１および２と通信装置とは、それぞれ、データの属性値毎に、当該データを区別することが可能になり、その結果、より細やかなサービスを提供することが可能になる。
（変形例）
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５５】
例えば、上記実施形態では、同じＬ２ネットワーク内で仮想ネットワークを構築することとしたが、本発明はかかる例に限定されない。例えば、Ｌ３スイッチ２０−１および２０−２を超えて、複数のＬ２ネットワークにまたがって仮想ネットワークが構築されてもよい。
【００５６】
また、上記実施形態では、制御装置３０は、記憶部３３が、対応情報を予め記憶していることとした。しかしながら、本発明はかかる例に限定されない。制御装置３０は、通信部３１を介して、外部のサーバ装置から対応情報を取得して、取得した対応情報を記憶部３３に記憶してもよい。また、制御装置３０は、移動体通信システム１〜３の管理者の操作に従って、対応情報を生成して、記憶部３３に記憶してもよい。
【００５７】
また、上記第３の実施形態では、制御部３４は、アンテナ部１１および仮想基地局機能部１２の間と、仮想基地局機能部１２の内部と、仮想基地局機能部１２およびＬ３スイッチ２０−１，２の間とで、それぞれ異なる対応情報を用いて、ＶＮＩを割り当てた。しかしながら、本発明はかかる例に限定されない。アンテナ部１１および仮想基地局機能部１２の間と、仮想基地局機能部１２の内部と、仮想基地局機能部１２およびＬ３スイッチ２０−１，２の間との一部または全てにおいて、共通する対応情報が用いられてもよい。異なる対応情報が用いられる場合、より細かい単位で、データを区別して取り扱うことが可能になる。また、共通する対応情報が用いられる場合、対応情報の管理が簡単になる。
【００５８】
また、上記第３の実施形態では、制御部３４は、アンテナ部１１および仮想基地局機能部１２の間では、アンテナ装置１１−１〜ｎ毎にＶＮＩを割り当てた。そして制御部３４は、仮想基地局機能部１２の内部と、仮想基地局機能部１２およびＬ３スイッチ２０−１，２の間では、データのサービス種別毎にＶＮＩを割り当てた。しかしながら、本発明はかかる例に限定されない。ＶＮＩを割り当てる単位については、データの属性値に関する単位であればよい。
【００５９】
また、上記の各実施形態の一部又は全部は、以下の付記のように記載することが可能であるが、以下には限定されない。
【００６０】
［付記１］
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶する記憶部と、
前記対応情報に基づいて、物理ネットワークで接続された複数の通信装置のそれぞれに、前記識別子と、当該識別子にて識別される仮想ネットワークを使用するポリシーとを割り当てる制御部と、
を備える制御装置。
【００６１】
［付記２］
前記仮想ネットワークそれぞれの状況を検知する検知部、をさらに備え、
前記制御部は、前記検知部が検知した状況に基づいて、前記仮想ネットワークそれぞれのルート制御を行う、付記１に記載の制御装置。
【００６２】
［付記３］
前記対応情報は、前記データの属性値として、当該データの宛先、送信元、および優先度の少なくとも１つを示す情報を含む、付記１または２に記載の制御装置。
【００６３】
［付記４］
前記対応情報は、複数種類あり、
前記制御部は、前記複数種類の対応情報のうち、各通信装置に対して予め定められたルールを満たす対応情報に基づいて、前記識別子と前記ポリシーとを割り当てる、付記１ないし３のいずれか１項に記載の制御装置。
【００６４】
［付記５］
前記複数の通信装置は、基地局の機能を協働して仮想的に実現する複数のサーバ装置を含む、付記１ないし４のいずれか１項に記載の制御装置。
【００６５】
［付記６］
前記複数の通信装置は、アンテナ装置を含む、付記５に記載の制御装置。
【００６６】
［付記７］
前記複数の通信装置は、前記物理ネットワークと他の物理ネットワークとの間を中継する中継装置を含む、付記１ないし６のいずれか１項に記載の制御装置。
【００６７】
［付記８］
複数の仮想ネットワークのそれぞれをネットワーク層レベルで識別する複数の識別子のそれぞれに、当該識別子にて識別される仮想ネットワークで伝送されるデータの属性値が対応づけられた対応情報を記憶部に記憶させ、
前記記憶部から前記対応情報を読み出し、
前記記憶部から読み出した対応情報に基づいて、物理ネットワークで接続された複数の通信装置のそれぞれに、前記識別子と、当該識別子にて識別される仮想ネットワークを使用するポリシーとを割り当てる、制御方法。
【００６８】
この出願は、２０１４年８月１日に出願された日本出願特願２０１４−１５７３６８を基礎とする優先権を主張し、その開示の全てをここに取り込む。
【符号の説明】
【００６９】
１，２，３      移動体通信システム
１０−１〜ｎ    基地局装置
１１−１〜ｎ    アンテナ装置
１２            仮想基地局機能部
２０−１，２    Ｌ３スイッチ（中継装置）
３０            制御装置
３１            通信部
３２            検知部
３３            記憶部
３４            制御部
【図１】
2016017182.tif 000003
【図２】
2016017182.tif 000004
【図３】
2016017182.tif 000005
【図４】
2016017182.tif 000006
【図５】
2016017182.tif 000007
【図６】
2016017182.tif 000008
【図７】
2016017182.tif 000009
【図８】
2016017182.tif 000010
【図９】
2016017182.tif 000011
【国際調査報告】
2016017182.tif 000012
2016017182.tif 000013